(57)【要約】【課題】  装置本体に対するサブカバーの開放、閉塞時の固定を、ネジや支え棒等の別パーツを使わずに実現すること。【解決手段】  装置本体（１１）をメインカバー（１３）及びサブカバー（１５）を備えた装置（１０）の筐体構造において、開閉機構（３５，３６，５１，５２）はサブカバーを装置本体に対して開閉するのを可能とする。第１のロック手段（３１，４１ａ）は装置本体に対してサブカバーを閉塞した状態でその閉塞状態をロックする。第２のロック手段（３１，４５）は装置本体に対してサブカバーを開放した状態でその開放状態をロックする。閉塞維持手段（３２，４２）は第１のロック手段と協働して、サブカバーの閉塞状態を維持する。開放維持手段（３３，４６，４７，４８）は第２のロック手段と協働して、サブカバーの開放状態を維持する。【選択図】      図３
2006147678.tif 000002
【特許請求の範囲】
【請求項１】
装置本体（１１）を覆うメインカバー（１３）及びサブカバー（１５）を備えた装置（１０）の筐体構造であって、
前記サブカバーを前記装置本体に対して開閉するのを可能とする開閉機構と、
前記装置本体に対して前記サブカバーを閉塞した状態でその閉塞状態をロックする第１のロック手段と、
前記装置本体に対して前記サブカバーを開放した状態でその開放状態をロックする第２のロック手段と、
を備えた装置の筐体構造。
【請求項２】
前記サブカバーを前記装置本体に対して着脱するのを可能とする着脱手段を更に有する、請求項１に記載の装置の筐体構造。
【請求項３】
前記第１のロック手段と協働して、前記サブカバーの閉塞状態を維持する閉塞維持手段を更に有する、請求項１又は２に記載の装置の筐体構造。
【請求項４】
前記第２のロック手段と協働して、前記サブカバーの開放状態を維持する開放維持手段を更に有する、請求項１又は２に記載の装置の筐体構造。
【請求項５】
前記装置が電子機器である、請求項１乃至請求項４のいずれか１つに記載の装置の筐体構造。
【請求項６】
前記電子機器がボタン電話装置の主装置であり、前記サブカバーは前記主装置の工事部を覆うものである、請求項５に記載の装置の筐体構造。
【請求項７】
装置本体（１１）を覆うメインカバー（１３）及びサブカバー（１５）を備えた装置（１０）の筐体構造であって、
前記メインカバーは前記装置本体の前面上方を塞ぐ形状をしており、前記サブカバーは前記装置本体の前面下方を塞ぐ形状をしており、
前記サブカバーを前記装置本体に対して開閉するのを可能とする開閉機構と、
前記装置本体に対して前記サブカバーを閉塞した状態でその閉塞状態をロックする第１のロック手段と、
前記装置本体に対して前記サブカバーを開放した状態でその開放状態をロックする第２のロック手段と、
を備えた装置の筐体構造。
【請求項８】
前記サブカバーを前記装置本体に対して着脱するのを可能とする着脱手段を更に有する、請求項７に記載の装置の筐体構造。
【請求項９】
前記第１のロック手段と協働して、前記サブカバーの閉塞状態を維持する閉塞維持手段を更に有する、請求項７又は８に記載の装置の筐体構造。
【請求項１０】
前記第２のロック手段と協働して、前記サブカバーの開放状態を維持する開放維持手段を更に有する、請求項７又は８に記載の装置の筐体構造。
【請求項１１】
前記第１のロック手段は、前記サブカバー（１５）の上端から上方へ延在する主ツメ（３１）と、前記メインカバー（１３）の下端に空けられかつ前記主ツメが挿入される挿入穴（４１）内に設けられ、前記主ツメが引っ掛けられる主リブ（４１ａ）と、から構成される請求項７に記載の装置の筐体構造。
【請求項１２】
前記第２のロック手段は、前記サブカバー（１５）の上端から上方へ延在する主ツメ（３１）と、前記装置本体（１１）に設けられて、前記主ツメが挿入される挿入穴（４５）と、から構成される請求項７に記載の装置の筐体構造。
【請求項１３】
前記サブカバー（１５）は、前板（２１）と、該前板の下端から後方へ延在する底板（２４）とを有し、
前記閉塞維持手段は、前記底板の後端から上方へ延在する少なくとも１個の副ツメ（３２）と、前記装置本体の下端に設けられて、前記副ツメが挿入される挿入穴（４２）と、から構成される請求項９に記載の装置の筐体構造。
【請求項１４】
前記開放維持手段は、前記サブカバー（１５）の上端の両側端側で上方へ延在する一対の副ツメ（３３）と、前記装置本体（１１）から前方へ延在して、前記一対の副ツメを係止する一対の副リブ（４６，４７）と、から構成される請求項１０に記載の装置の筐体構造。
【請求項１５】
前記開放維持手段は、前記装置本体（１１）の前記一対の副リブの一方の下端に形成されて、前記一対の副ツメの一方が挿入される挿入穴（４８）を更に有する、請求項１４に記載の装置の筐体構造。
【請求項１６】
前記開閉機構は、前記サブカバーを上下方向にスライド可能で、かつ前記サブカバーの上端の回りで回転可能なスライド・回転機構である、請求項７に記載の装置の筐体構造。
【請求項１７】
前記スライド・回転機構は、前記サブカバー（１５）の上端の両側端側に設けられ、前記サブカバーから後方へ離間して上下方向に延在する一対のレール（３５，３６）と、前記装置本体（１１）に取り付けられ、前記一対のレールに挿入される一対の動作軸（５１，５２）と、から構成される請求項１６に記載の装置の筐体構造。
【請求項１８】
前記開閉機構は、前記サブカバーを上下方向にスライド可能で、かつ前記サブカバーの上端の回りで回転可能なスライド・回転機構である、請求項８に記載の装置の筐体構造。
【請求項１９】
前記スライド・回転機構は、前記サブカバー（１５）の上端の両側端側に設けられ、前記サブカバーから後方へ離間して上下方向に延在する一対のレール（３５，３６）と、前記装置本体（１１）に取り付けられ、前記一対のレールに挿入される一対の動作軸（５１，５２）と、から構成され、
前記着脱手段は、前記一対のレールの各々に設けられた切り欠き部（３５１ａ，３６１ａ）と、前記一対の動作軸の真ん中に空けられた空隙（５１ａ，５２ａ）と、から構成される請求項１８に記載の装置の筐体構造。
【請求項２０】
前記装置が電子機器である、請求項７乃至請求項１９のいずれか１つに記載の装置の筐体構造。
【請求項２１】
前記電子機器がボタン電話装置の主装置であり、前記サブカバーは前記主装置の工事部を覆うものである、請求項２０に記載の装置の筐体構造。
【請求項２２】
装置本体（１１）に対して開閉可能なサブカバー（１５）を備えたサブカバー開閉構造に於いて、
前記装置本体（１１）に対して前記サブカバー（１５）を閉じた状態でネジを使用せずにその状態をロックでき、前記装置本体（１１）に対して前記サブカバー（１５）を開いた状態でも別パーツを使用せずにその状態をロックできるサブカバー開閉構造。
【請求項２３】
前記サブカバー開閉構造は、
前記サブカバー（１５）を閉じた状態でロックする場合は、前記サブカバーを閉じた状態にしたとき主ツメ（３１）を主リブ（４１ａ）に引っ掛けてロックし、
前記サブカバー（１５）を閉じた状態から開いた状態にロックする場合は、前記主ツメ（３１）の上を装置表面より指で押して前記主リブ（４１ａ）から前記主ツメ（３１）を外してロックを解除し、レール（３５，３６）に沿って前記サブカバー（１５）を下方にスライドさせ、前記サブカバー（１５）を上方へ回転させながら引き上げて、前記サブカバー（１５）を前記装置本体の中に押し込んで前記主ツメを前記装置本体の挿入穴（４５）内に押し込み、かつ、第２のツメ（３３）を前記装置本体の第２のリブ（４６，４７）に係止させてロックするように構成したことを特徴とする請求項２２に記載のサブカバー開閉構造。
【請求項２４】
装置本体（１１）に対して開閉可能なサブカバー（１５）を備えたサブカバー開閉構造に於いて、
前記装置本体（１１）に対して前記サブカバー（１５）を閉じた状態でネジを使用せずにその状態をロックでき、前記装置本体（１１）に対して前記サブカバー（１５）を開いた状態でも別パーツを使用せずにその状態をロックでき、前記サブカバー（１５）を前記装置本体（１１）から取り外しも可能なサブカバー開閉構造。
【請求項２５】
前記サブカバー開閉構造は、
前記サブカバー（１５）を閉じた状態でロックする場合は、前記サブカバーを閉じた状態にしたとき主ツメ（３１）を主リブ（４１ａ）に引っ掛けてロックし、
前記サブカバー（１５）を閉じた状態から開いた状態にロックする場合は、前記主ツメ（３１）の上を装置表面より指で押して前記主リブ（４１ａ）から前記主ツメ（３１）を外してロックを解除し、レール（３５，３６）に沿って前記サブカバー（１５）を下方にスライドさせ、前記サブカバー（１５）を上方へ回転させながら引き上げて、前記サブカバー（１５）を前記装置本体の中に押し込んで前記主ツメを前記装置本体の挿入穴（４５）内に押し込み、かつ、第２のツメを（３３）前記装置本体の第２のリブ（４６，４７）に係止させてロックし、
前記サブカバー（１５）を前記装置本体（１１）から取り外す場合は、前記レール（３５，３６）に沿って前記サブカバーをスライドさせたとき、前記レールの切り欠き部（３５１ａ，３６１ａ）より前記サブカバーを取り外すように構成したことを特徴とする請求項２４に記載のサブカバー開閉構造。
【発明の詳細な説明】
【技術分野】
【０００１】
本発明は、電子機器等の装置の筐体構造に関し、特に、主装置の配線部など、内部に工事部を有する箇所を覆うサブカバーの開閉構造に関する。
【背景技術】
【０００２】
従来から種々の装置の筐体構造が提案されている。例えば、電子機器のカバーの着脱が容易となり、電子機器の設置工事及び保守点検作業が安全かつ迅速に行えるようにした電子機器筐体構造が知られている（例えば、特許文献１参照）。この特許文献１に開示された電子機器筐体構造では、電子機器筐体のカバーをメインカバーとサブカバーとに分割し、サブカバーのベースへの取付け構造として、サブカバーに設けた突起片とベースに設けたスリットとの係合構造を採用している。詳述すると、カバーを、原則として取り外されることのないメインカバーと、取り外されることのあるサブカバーとで構成する。サブカバーのベースへの装着は、サブカバーの両側面に設けた突起片と、ベースの両側面に設けたスリットとの係合及びサブカバーの前面に設けた孔と、ベースの前面に設けた孔を通してのねじの締付けにより行う。
【０００３】
また、止ねじを使用せずにケースにカバーを固定できるようにした電子機器の筐体構造も知られている（例えば、特許文献２参照）。この特許文献２に開示された電子機器の筐体構造では、電子部品ユニットを収容する筐体を、片面が開口するケースと、このケースの開口部を覆う主カバー及び電池収容部を覆うサブカバーとより構成している。ケースに対して主カバーをスライドさせて、ケースに設けた凹溝に主カバーの突条を係合することにより主カバーの一端側を係止している。また主カバーの他端側に設けた係止部をケース側の切欠に圧入することにより主ケースのスライドを係止している。ケースに対してサブカバーをスライドさせてケースの凹溝にサブカバーの突条を係合させることにより、ケースに対してサブカバーを係止している。と同時に、主カバーサブカバーを係止することにより、サブカバーのスライドを係止している。
【０００４】
更に、台座部分と外装カバーとから構成されるラインプリンタの筐体において、台座部分と外装カバーとの係合部分の防音効果を高めながら、且つ一体化された比較的大型のカバーでも容易に取付け・取外しが容易なカバーの取付け方法が知られている（例えば、特許文献３参照）。この特許文献３では、台座部分の上部の左右にガイドレールを設け、外装カバーはガイドレールに沿ってスライド可能な２つの長手係合部を備えている。台座部分の左右に設けたガイドレールと外装カバー取付け時のスライドによる係合部分の気密性によって防音効果を高めている。また、係合部分と外装カバーの固定ネジによって取付け時の位置決めを不要にし、ガイドレールと合わせて外装カバーの取扱いを容易にしている。
【０００５】
また、押圧操作によりロック部材本体に被ロック部材を固定できるロック機構が知られている（例えば、特許文献４参照）。この特許文献４に開示されたロック機構は、ロック部材本体に設けられた係合手段と、ロック手段とを有する。係合手段は、被ロック部材の被係合部を所定位置にセットすると被係合部と係合可能な姿勢となり、押圧操作により被係合部と係合する。ロック手段は、係合手段が被係合手段に係合した状態で係合手段をロックする。
【０００６】
【特許文献１】特開平８−７８８６１号公報
【特許文献２】特開平４−１７７７９６号公報
【特許文献３】特開２００３−３２６８０５号公報
【特許文献４】特開平１１−１７２９９１号公報
【発明の開示】
【発明が解決しようとする課題】
【０００７】
電子機器は、ボタン電話装置等の主装置であって良い。主装置は、床に設置して使用されたり、室内の高所に設置して使用される。主装置を床へ設置した場合には、サブカバーを取り外した方が、作業者は工事がし易い。一方、主装置を高所へ設置する場合には、サブカバーを開放状態で固定できる方が、作業者は工事がし易い。
【０００８】
しかしながら、従来においては、前述した特許文献１に開示されているように、主装置の工事部を覆うサブカバーは閉塞状態ではネジにて装置本体に固定されている。
【０００９】
その為、工事の際にサブカバーを開放する為には工具が必要となる。また、工事終了までその取り外した固定用ネジを保管することが必要である。さらに、工事中に取り外したサブカバーも工事終了まで保管する必要がある。その為、高所等で工事する際にはサブカバーを工事の邪魔にならない場所（低所）へ一旦置きに行くなどの余計な動作を行う必要があり、工事性が悪くなる。
【００１０】
また、サブカバーを開放状態で装置本体に固定できる場合も、支え棒などの別パーツによる固定が一般的である。その為、工事性、製造性、コスト的にも不利となる。
【００１１】
尚、特許文献２では、ケースに対して止ねじを使用せずに主カバー及びサブカバーを取り付けることができるようにしている。しかしながら、特許文献２の構造では、サブカバーはケースに対して取付け・取外しができるだけであって、サブカバーを開放状態でケースに対して固定することはできない。
【００１２】
引用文献３は、外装カバーを台座部分に対してスライド可能にしたラインプリンタの筐体を開示しているに過ぎず、外装カバーは固定ネジによって台座部分に取り付けられる。したがって、前述した特許文献１と同様の問題点を有している。
【００１３】
引用文献４は、ロック部材本体に対して被ロック部材を固定することができるロック機構を開示しているに過ぎない。換言すれば、引用文献４は、ロック部材本体に対して被ロック部材を閉塞した状態でその閉塞状態をロックするロック機構を開示しているだけであって、ロック部材本体に対して被ロック部材を開放した状態でその開放状態をロックするロック機構については何ら開示せず、示唆する記載もない。
【００１４】
したがって、本発明の課題は、サブカバーを閉塞状態でロックできるだけなく、サブカバーを開放状態でもロックすることができる、装置の筐体構造を提供することにある。
【００１５】
本発明の他の課題は、サブカバーを取り外すこともできる、装置の筐体構造を提供することにある。
【００１６】
本発明のもっと別の課題は、上述したサブカバーのロック動作や取り外し動作を、ネジや支え棒等の別パーツを使わずに実現できる、装置の筐体構造を提供することにある。
【００１７】
本発明の具体的な目的は、工事部を覆うサブカバーの開放状態での主装置への固定が単一部品のみで、かつ簡単な構造で実現することができる、サブカバー開閉構造を提供することである。
【課題を解決するための手段】
【００１８】
本発明によれば、装置本体を覆うメインカバー及びサブカバーを備えた装置の筐体構造であって、サブカバーを装置本体に対して開閉するのを可能とする開閉機構と、装置本体に対してサブカバーを閉塞した状態でその閉塞状態をロックする第１のロック手段と、装置本体に対してサブカバーを開放した状態でその開放状態をロックする第２のロック手段と、を備えた装置の筐体構造が得られる。
【発明の効果】
【００１９】
本発明の装置の筐体構造は、装置本体に対してサブカバーを閉塞した状態でその閉塞状態をロックする第１のロック手段と、装置本体に対してサブカバーを開放した状態でその開放状態をロックする第２のロック手段とを備えた構成を採用することにより、閉じた状態ではネジを使わずにサブカバーを装置本体に固定でき、また開放時にもネジを使わずに装置本体にサブカバーを開放状態で固定することができる。
【発明を実施するための最良の形態】
【００２０】
以下、本発明の実施の形態について図面を参照して詳細に説明する。
【００２１】
図１、図２、図３を参照すると、本発明が適用される装置１０は、ボタン電話装置等の主装置である。この主装置１０は、床に設置して使用したり、室内の高所に設置して使用される。
【００２２】
装置１０は、装置本体１１と、装置本体１１の前面を覆うカバーとから構成されている。カバーは、装置本体１１の前面上方を塞ぐメインカバー１３と、装置本体１１の前面下方を塞ぐサブカバー１５とから構成されている。
【００２３】
メインカバー１３は、原則として取り外されることがないものである。サブカバー１５は、装置本体１１に対して開閉可能であり、装置本体１１から取り外しも可能である。
【００２４】
図１は装置本体１１に対してサブカバー１５を閉塞した状態を示し、図２及び図３は装置本体１１に対してサブカバー１５を開放した状態を示している。
【００２５】
サブカバー１５は、装置本体１１の下方に設けられた工事部１７を覆っている。工事部１７は主装置１０の配線部などである。主装置１０を床へ設置した場合には、サブカバー１５を装置本体１１から取り外した方が、作業者は工事部１７の工事がし易い。これに対して、主装置１０を高所に設置した場合には、図３に示されるように、サブカバー１５を開放状態で装置本体１１に固定できる方が、作業者は工事部１７の工事がし易い。
【００２６】
図４、図５を参照すると、サブカバー１５は、前方（正面）に設けられた前板（正面板）２１と、前板２１の右側端から後方へ延在する右側板２２と、前板２１の左側端から後方へ延在する左側板２３と、前板２１の下端から後方へ延在する底板２４とから構成されている。
【００２７】
前板２１は、前面２１ａと背面２１ｂとを持つ。前板２１の背面２１ｂには、その上端中央で上方に突出した主ツメ３１が設けられている。底板２４には、その奥行き端（後端）の２箇所で上方に突出した２つの第１の副ツメ３２が設けられている。この第１の副ツメ３２は、サブカバー１５の閉塞時に使用されるものである。尚、本実施の形態では、第１の副ツメ３２を２つ設けているが、１つでも良く、３つ以上あっても良い。
【００２８】
また、前板２１の背面２１ｂには、その上端の両側面側近傍で上方へ突出する一対の第２の副ツメ３３が設けられている。この一対の第２の副ツメ３３は、サブカバー１５の開放時に使用されるものである。さらに、前板２１の背面２１ｂには、右側の第２の副ツメ３３より内側に右側レール３５が設けられ、左側の第２の副ツメ３３より内側に左側レール３６が設けられている。
【００２９】
図６は主ツメ３１を正面側から見た拡大斜視図であり、図７は主ツメ３１を背面側からみた拡大斜視図である。主ツメ３１は、前方へ突出した突起部３１１を持つ。図８は第２の副ツメ３３を正面側から見た拡大斜視図である。
【００３０】
図９は右側レール３５を背面側から見た拡大斜視図であり、図１０は左側レール３６を背面側から見た拡大斜視図である。
【００３１】
図９に示されるように、右側レール３５は、前板２１の背面２１ｂから後方へ離間しかつ背面２１ｂと平行に上下方向に延在するレール部３５１を有する。レール部３５１は、その途中で左右両側から内側に切り欠かれた一対の切り欠き部３５１ａを持つ。レール部３５１の上端部は逆Ｊ字形をしており、レール部３５１の下端部はＪ字形をしている。
【００３２】
図１０に示されるように、同様に、左側レール３６は、前板２１の背面２１ｂから後方へ離間しかつ背面２１ｂと平行に上下方向に延在するレール部３６１を有する。レール部３６１は、その途中で左右両側から内側に切り欠かれた一対の切り欠き部３６１ａを持つ。レール部３５１と同様に、レール部３６１の上端部は逆Ｊ字形をしており、レール部３６１の下端部はＪ字形をしている。
【００３３】
これら切り欠き部３５１ａ、３６１ａは、後述する動作軸をレール部３５１、３６１に対して挿抜するためのものである。また、レール部３５１、３６１の上端部の湾曲部分は、サブカバー１５を動作軸の回りに回転可能に支持するためのものである。
【００３４】
図１１を参照すると、メインカバー１３には、その下端中央に、サブカバー１５の閉塞時に主ツメ３１が挿入される主ツメ挿入穴４１が空けられている。メインカバー１３は、この主ツメ挿入穴４１内に、主ツメ３１の突起部３１１が引っ掛かる主リブ４１ａ（図１）を有する。
【００３５】
装置本体１１には、その後方下端の２箇所に、サブカバー１５の閉塞時に一対の第１の副ツメ３２が挿入される一対の第１の副ツメ挿入穴４２が空けられている。また、メインカバー１３には、その下端の両側近傍に、サブカバー１５の閉塞時に一対の第２の副ツメ３３が挿入される一対の第２の副ツメ挿入穴４３が空けられている。
【００３６】
一方、装置本体１１には、上記主ツメ挿入穴４１の下方に、サブカバー１５の開放時に主ツメ３１が挿入される主ツメ挿入穴４５が空けられている。装置本体１１には、右側の第２の副ツメ挿入穴４３の下方に、サブカバー１５の開放時に右側の第２の副ツメ３３を係止するための右側副リブ４６が設けられている。また、装置本体１１には、左側の第２の副ツメ挿入穴４３の下方に、サブカバー１５の開放時に、左側の第２の副ツメ３３を係止するための左側副リブ４７が設けられると共に左側の第２の副ツメ３３が挿入される第２の副ツメ挿入穴４８が空けられている。すなわち、左側副リブ４７の下端に第２の副ツメ挿入穴４８が設けられている。
【００３７】
また、装置本体１１には、右側副リブ４６の内側近傍に、右側レール３５に挿入される右側動作軸５１が設けられている。同様に、装置本体１１には、左側副リブ４７の内側近傍に、左側レール３６に挿入される左側動作軸５２が設けられている。
【００３８】
メインカバー１３には、右側の第２の副ツメ挿入穴４３の近傍内側に、右側レール３５が挿入される右側レール挿入穴５６が空けられている。同様に、メインカバー１３には、左側の第２の副ツメ挿入穴４３の近傍内側に、左側レール３６が挿入される左側レール挿入穴５７が空けられている。
【００３９】
図１２は右側動作軸５１の近傍を正面側から見た拡大斜視図である。図１３は左側動作軸５２の近傍を正面側から見た拡大斜視図である。図１２に示されるように、右側動作軸５１は、真ん中に空隙５１ａがある左右一対の軸５１１から構成されている。図１３に示されるように、左側動作軸５２も同様に、真ん中に空隙５２ａがある左右一対の軸５２１から構成されている。
【００４０】
上述した構成において、右側レール３５、左側レール３６、右側動作軸５１、および左側動作軸５２との組み合わせは、サブカバー１５を装置本体１１に対して開閉するのを可能とする開閉機構として動作する。本実施の形態では、この開閉機構は、サブカバー１５を上下方向にスライド可能で、かつサブカバー１５の上端の回りで回転可能なスライド・回転機構で構成されている。
【００４１】
主ツメ３１と、主ツメ挿入穴４１内に設けられた主リブ４１ａとの組み合わせは、装置本体１１に対してサブカバー１５を閉塞した状態でその閉塞状態をロックする第１のロック手段として働く。一方、主ツメ３１と、装置本体１１に空けられた主ツメ挿入穴４５との組み合わせは、装置本体１１に対してサブカバー１５を開放した状態でその開放状態をロックする第２のロック手段として働く。
【００４２】
装置本体１１に対してサブカバー１５を閉塞した状態でその閉塞状態をロックする第１のロック手段を備えているので、閉じた状態でネジを使わずにサブカバー１５を装置本体１１に固定できる。また、装置本体１１に対してサブカバー１５を開放した状態でその開放状態をロックする第２のロック手段を備えているので、開放時にもネジや支え棒などの別パーツを使わずに装置本体１１にサブカバー１５を固定することができる。
【００４３】
また、第１の副ツメ３２と、第１の副ツメ挿入穴４２との組み合わせは、上記第１のロック手段と協働して、サブカバー１５の閉塞状態を維持する閉塞維持手段として働く。また、第２の副ツメ３３と、副リブ４６および４７と、挿入穴４８との組み合わせは、上記第２のロック手段と協働して、サブカバー１５の開放状態を維持する開放維持手段として働く。
【００４４】
第１のロック手段と協働して、サブカバー１５の閉塞状態を維持する閉塞維持手段を備えているので、サブカバー１５の閉塞状態において、ネジを使わずに、サブカバー１５を装置本体１１に対して確実に固定することができる。第２のロック手段と協働して、サブカバー１５の開放状態を維持する開放維持手段を備えているので、サブカバー１５の開放状態において、ネジや支え棒などの別パーツを使わずに、サブカバー１５を装置本体１１に対して確実に固定することができる。尚、図示の実施の形態における開放維持手段では、第２の副ツメ３３を係止する係止手段として、副リブ４６，４７、挿入穴４８を用いているが、係止手段は、この実施の形態に限定されず、装置本体１１の構成に応じて種々のものを採用できる。例えば、係止手段としては、副リブだけを用いても良いし、挿入穴だけで構成しても良い。
【００４５】
さらに、右側レール３５の切り欠き部３５１ａ、左側レール３６の切り欠き部３６１ａ、右側動作軸５１の空隙５１ａ、および左側動作軸５２の空隙５２ａの組み合わせは、サブカバー１５を装置本体１１に対して着脱するのを可能とする着脱手段として働く。
【００４６】
サブカバー１５を装置本体１１に対して着脱するのを可能とする着脱手段を備えているので、サブカバー１５を装置本体１１から取り外すこともできる。
【００４７】
図１を参照して、サブカバー１５の閉塞状態について説明する。この状態では、サブカバー１５は、主ツメ３１および第１の副ツメ３２によって装置本体１１に固定される。詳述すると、主ツメ３１は、メインカバー１３に空けられた主ツメ挿入穴４１に挿入された状態で、主リブ４１ａに引っ掛けられて、サブカバー１５を閉塞状態にロックしている。一方、第１の副ツメ３２は、第１の副ツメ挿入穴４２に挿入されて、サブカバー１５の閉塞状態が維持されている。尚、第２の副ツメ３３は、メインカバー１３に空けられた第２の副ツメ挿入穴４３に挿入されている。また、右側動作軸５１および左側動作軸５２は、それぞれ、右側レール３５および左側レール３６に挿入されている。
【００４８】
このように、本実施の形態では、主ツメ３１、主リブ４１ａ、第１の副ツメ３２、および第１の副ツメ挿入穴４１を備えているので、サブカバー１５の閉塞状態において、ネジを使用せずに、サブカバー１５を装置本体１１に対して確実に固定することができる。
【００４９】
次に、図３を参照して、サブカバー１５の開放状態について説明する。この状態では、サブカバー１５は、主ツメ３１および第２の副ツメ３３によって装置本体１１に固定される。詳述すると、主ツメ３１は、装置本体１１に空けられた主ツメ挿入穴４５に挿入されて、サブカバー１５を開放状態にロックしている。一方、右側の第２の副ツメ３３は右側副リブ４６で係止され、左側の第２の副ツメ３３は左側副リブ４７で係止され、かつ、第２の副ツメ挿入穴４８に挿入されて、サブカバー１５の開放状態が維持されている。なお、この状態でも、右側動作軸５１および左側動作軸５２は、それぞれ、右側レール３５および左側レール３６に挿入されている。
【００５０】
このように、本実施の形態では、主ツメ３１、主ツメ挿入穴４５、第２の副ツメ３３、右側副リブ４６、左側副リブ４７、および第２の副ツメ挿入穴４８を備えているので、サブカバー１５の開放状態において、ネジや支え棒などの別パーツを使用せずに、サブカバー１５を装置本体１１に対して確実に固定することができる。
【００５１】
次に、図１４乃至図１９を参照して、本装置の筐体構造の動作について説明する。
【００５２】
最初に、図１４乃至図１６および図１９を参照して、サブカバー１５が装置本体１１に閉塞状態で固定されている状態から、サブカバー１５を装置本体１１から取り外す場合の動作について説明する。
【００５３】
図１４は、図１と同様に、サブカバー１５の閉塞状態を示している。この状態から主ツメ１３の上をメインカバー１３の表面から押して、主ツメ３１の主リブ４１ａへの引っ掛かりを解除し、主ツメ１３によるサブカバー１５の閉塞状態のロックを解除する。
【００５４】
次に、図１５において、右側レール３５および左側レール３６に沿ってサブカバー１５を、矢印Ａで示されるように、下方にスライドさせる。
【００５５】
次に、図１９に示されるように、サブカバー１５を若干上方へスライドさせて、右側動作軸５１および左側動作軸５２がそれぞれ右側レール３５および左側レール３６の切り欠き部３５ａ、３６ａに位置するようにする。
【００５６】
最後に、図１６に示されるように、右側レール３５および左側レール３６の切り欠き部３５ａ、３６ａより、右側動作軸５１および左側動作軸５２を抜き取る。これによって、サブカバー１５が装置本体１１から取り外される。
【００５７】
このように、本実施の形態では、右側レール３５に切り欠き部３５ａを、左側レール３６に切り欠き部３６ａを、右側動作軸５１に空隙５１ａを、左側動作軸５２に空隙５２ａを、それぞれ、設けることにより、サブカバー１５を装置本体１１から取り外すことができる。これにより、主装置１０を床へ設置して使用している場合には、作業者は、サブカバー１５を装置本体１１から取り外した状態で、工事部１７の工事をすることができる。
【００５８】
尚、サブカバー１５が装置本体１１から取り外されている状態から、サブカバー１５を装置本体１１に閉塞状態で固定する場合には、上述した動作と逆の動作を行えば良い。
【００５９】
次に、図１４、図１５、図１７および図１８を参照して、サブカバー１５が装置本体１１に閉塞状態で固定されている状態から、サブカバー１５を装置本体１１に開放状態で固定する場合の動作について説明する。
【００６０】
先ず、図１４のサブカバー１５の閉塞状態から、主ツメ１３の上を押して、サブカバー１５の閉塞状態のロックを解除する。次に、図１５において、右側レール３５および左側レール３６に沿ってサブカバー１５を、矢印Ａで示されるように、下方にスライドさせる。
【００６１】
次に、図１７において、右側動作軸５１および左側動作軸５２を中心にして、矢印Ｂで示されるように、サブカバー１５を手前上方に９０度回転させて、サブカバー１５を引き上げる。
【００６２】
次に、図１８において、矢印Ｃで示されるように、サブカバー１５を装置本体１１へ押し込み、主ツメ３１を主ツメ挿入穴４５に挿入する。と同時に、第２の副ツメ３３を副リブ４６および４７に係止させる。尚、このとき、左側の第２の副ツメ３３は、第２の副ツメ挿入穴４８に挿入される。これにより、サブカバー１５は装置本体１１に開放状態で固定される。
【００６３】
このように、本実施の形態では、ネジや支え棒などの別パーツを使用せずに、サブカバー１５の開放状態において、サブカバー１５を装置本体１１に確実に固定することができる。これにより、主装置１０が室内の高所に設置して使用している場合には、作業者は、サブカバー１５を開放状態で装置本体１１に固定した状態で、工事部１７の工事をすることができる。従って、工事性および製造性の向上と、コストの低減とを図ることができる。
【００６４】
尚、サブカバー１５が装置本体１１に開放状態で固定されている状態から、サブカバー１５を装置本体１１に閉塞状態で固定する場合には、上述した動作と逆の動作を行えば良い。
【００６５】
以上、本発明について好ましい実施の形態について説明してきたが、本発明は上述した実施の形態に限定されず、本発明の趣旨（主題）を逸脱しない範囲内で種々の変形・変更が可能なのは勿論である。例えば、装置の形状によっては、サブカバーの横（側端）に主ツメを設け、装置本体側壁に主ツメを差し込む穴（例えば、十字穴）を設け、横方向スライドでサブカバーの開放・閉塞状態を実現しても良い。また、上述した実施の形態では、装置がボタン電話装置等の主装置である場合を例に挙げて説明したが、装置としては、通信機主装置やたとえばクーラーなどの家庭用電気製品の工事、メンテナンス時に作業者がサブカバーを開けて作業する電子機器に適用可能である。装置は電子機器に限定されないのは勿論である。また、本発明は、家庭用電気製品などの電池部の蓋などにも応用が可能である。また、本発明の必須の構成要件は、開閉機構、第１のロック手段、および第２のロック手段であるので、着脱手段や閉塞維持手段、開放維持手段は、必要に応じて選択的に備えるようにすれば良い。
【図面の簡単な説明】
【００６６】
【図１】本発明の好ましい実施の形態による装置の筐体構造を、サブカバーの閉塞状態で示す斜視図である。
【図２】図１に示した装置の筐体構造を、サブカバーの開放状態で示す斜視図である。
【図３】図１に示した装置の筐体構造を、サブカバーの開放状態で示す斜視図である。
【図４】図１に示した装置の筐体構造に使用されるサブカバーを、正面側から見た斜視図である。
【図５】図１に示した装置の筐体構造に使用されるサブカバーを、背面側から見た斜視図である。
【図６】図４および図５に示したサブカバーに設けられた主ツメを正面側から見た拡大斜視図である。
【図７】図４および図５に示したサブカバーに設けられた主ツメを背面側からみた拡大斜視図である。
【図８】図４および図５に示したサブカバーに設けられた第２の副ツメを正面側から見た拡大斜視図である。
【図９】図４および図５に示したサブカバーに設けられた右側レールを背面側から見た拡大斜視図である。
【図１０】図４および図５に示したサブカバーに設けられた左側レールを背面側から見た拡大斜視図である。
【図１１】図１に示した装置の筐体構造に使用される装置本体およびメインカバーを、正面側から見た斜視図である。
【図１２】図１１に示した装置本体に取付けられる右側動作軸の近傍を正面側から見た拡大斜視図である。
【図１３】図１１に示した装置本体に取付けられる左側動作軸の近傍を正面側から見た拡大斜視図である。
【図１４】本発明に係る装置の筐体構造の動作を説明するための図で、主ツメの上を押している状態を示す斜視図である。
【図１５】本発明に係る装置の筐体構造の動作を説明するための図で、サブカバーをレールに沿って引き下ろしている状態を示す斜視図である。
【図１６】本発明に係る装置の筐体構造の動作を説明するための図で、サブカバーを装置本体から取り外した状態を示す斜視図である。
【図１７】本発明に係る装置の筐体構造の動作を説明するための図で、装置本体の動作軸を中心にサブカバーを手前上方を回転させて引き上げている状態を示す斜視図である。
【図１８】本発明に係る装置の筐体構造の動作を説明するための図で、サブカバーを装置本体へ押し込み、主ツメを挿入穴に挿入すると同時に副ツメを副リブへ係止している状態を示す斜視図である。
【図１９】本発明に係る装置の筐体構造の動作を説明するための図で、装置本体からサブカバーを取り外す際の、右側動作軸と右側レールとの配置関係を示す拡大断面図である。
【符号の説明】
【００６７】
１０    装置
１１    装置本体
１３    メインカバー
１５    サブカバー
２１    前板
２４    底板
３１    主ツメ
３２    第１の副ツメ
３３    第２の副ツメ
３５    右側レール
３５１ａ    切り欠き部
３６    左側レール
３６１ａ    切り欠き部
４１    主ツメ挿入穴
４１ａ    主リブ
４５    主ツメ挿入穴
４６    右側副リブ
４７    左側副リブ
４８    第２の副ツメ挿入穴
５１    右側動作軸
５１ａ    空隙
５２    左側動作軸
５２ａ    空隙
【図１】
2006147678.tif 000003
【図２】
2006147678.tif 000004
【図３】
2006147678.tif 000005
【図４】
2006147678.tif 000006
【図５】
2006147678.tif 000007
【図６】
2006147678.tif 000008
【図７】
2006147678.tif 000009
【図８】
2006147678.tif 000010
【図９】
2006147678.tif 000011
【図１０】
2006147678.tif 000012
【図１１】
2006147678.tif 000013
【図１２】
2006147678.tif 000014
【図１３】
2006147678.tif 000015
【図１４】
2006147678.tif 000016
【図１５】
2006147678.tif 000017
【図１６】
2006147678.tif 000018
【図１７】
2006147678.tif 000019
【図１８】
2006147678.tif 000020
【図１９】
2006147678.tif 000021